(57)【要約】【課題】着用時のフィット性が高い靴下を提供することを目的とする。【解決手段】足部の外側１２ａ、１２ｃはリブ編み１２で編成され、足部の内側１３ａ、１３ｃはパール編み１３で編成されていることを特徴とする。さらに、爪先部１１及び踵部１５は平編みで編成されていることを特徴とする。さらに、身部の外側１２ｂはリブ編み１２で編成され、身部の内側１３ｂはパール編み１３で編成されていることを特徴とする。さらに、踵部１５の反対側前方に横方向に渡ってパール編み１８が編成されていることを特徴とする。【選択図】図１
2018059218.tif 000002
【特許請求の範囲】
【請求項１】
足部の外側はリブ編みで編成され、足部の内側はパール編みで編成されていることを特徴とする靴下。
【請求項２】
請求項１に記載の靴下において、
爪先部及び踵部は平編みで編成されていることを特徴とする靴下。
【請求項３】
請求項１又は請求項２に記載の靴下において、
身部の外側はリブ編みで編成され、身部の内側はパール編みで編成されていることを特徴とする靴下。
【請求項４】
請求項１又は請求項２に記載の靴下において、
身部はリブ編みで編成されていることを特徴とする靴下。
【請求項５】
請求項１から請求項４のいずれか一項に記載の靴下において、
踵部の反対側前方に横方向に渡ってパール編みが編成されていることを特徴とする靴下。
【発明の詳細な説明】
【技術分野】
【０００１】
本発明は、靴下に関し、特に、着用時のフィット性が高い靴下に関する。
【背景技術】
【０００２】
従来、靴下は、平編みにより編成されることが多い。
【発明の概要】
【発明が解決しようとする課題】
【０００３】
従来の平編みの靴下では、伸縮性が強くないので、着用時に足に沿った高いフィット性（適合性）は得られなかった。また、長時間の着用では、ズレが生じることもある。靴下は、足の感覚を感知する部分であり、着用時のフィット性は、歩行や運動に対しても重要である。
【０００４】
本発明は、上記課題に鑑みて、着用時のフィット性が高い靴下を提供することを目的とする。
【課題を解決するための手段】
【０００５】
上記目的を達成するため、代表的な本発明の靴下の一つは、足部の外側はリブ編みで編成され、足部の内側はパール編みで編成されていることを特徴とする。
【０００６】
さらに本発明の靴下の一つは、爪先部及び踵部は平編みで編成されていることを特徴とする。
さらに本発明の靴下の一つは、身部の外側はリブ編みで編成され、身部の内側はパール編みで編成されていることを特徴とする。
さらに本発明の靴下の一つは、身部はリブ編みで編成されていることを特徴とする。
さらに本発明の靴下の一つは、踵部の反対側前方に横方向に渡ってパール編みが編成されていることを特徴とする。
【発明の効果】
【０００７】
本発明によれば、靴下において、着用時のフィット性を高くすることができ、運動時においても足と靴下とのずれが無く、快適な着用感を得ることができる。
【図面の簡単な説明】
【０００８】
【図１】本発明の靴下の第１の実施形態を示す右足着用時の平面図である。
【図２】本発明の靴下の第１の実施形態を示す右足着用時の下面図である。
【図３】本発明の靴下の第１の実施形態を示す右足着用時の外側側面図である。
【図４】本発明の靴下の第１の実施形態を示す右足着用時の内側側面図である。
【図５】本発明の靴下の第１の実施形態を示す右足着用時の背面図である。
【図６】本発明の靴下の第１の実施形態を示す非着用時の左右靴下の平面図である。
【図７】本発明の靴下の第１の実施形態を示す非着用時の左右靴下の下面図である。
【図８】本発明の靴下における展開図（右足用）の一例を示す。
【図９】本発明の靴下の第２の実施形態を示す非着用時の右用靴下の平面概略図である。
【図１０】本発明の靴下の第３の実施形態を示す非着用時の右用靴下の平面概略図である。
【発明を実施するための形態】
【０００９】
本発明を実施するための形態を説明する。
【００１０】
（第１の実施形態）
図１〜５は、本発明の靴下の第１の実施形態を示す。図１は右足１０１に着用時の平面図である。図２は右足１０１に着用時の下面図である。図３は右足１０１に着用時の外側側面図である。図４は右足１０１に着用時の内側側面図である。図５は右足１０１に着用時の背面図である。
【００１１】
以下、「内側」は、左右の足の内側、すなわち、両足の間側を指し、右足用なら左側、左足用なら右側となる。「外側」は、左右の足の左右外側を指し、右足用なら右側、左足用なら左側を指す。また、前は、歩行時に前進する方向（爪先方向）、後ろは、歩行時の後ろ側の方向（踵方向）となる。
また、「足部」は足甲部及び土踏まずを含む足底部を指し、「身部」は足首部から脚部を言う。
【００１２】
靴下１０は、爪先部１１、リブ編み部１２、パール編み部１３、履き口部１４、踵部１５とで構成されている。そして、リブ編み部１２は、靴下１０の外側で編成されており、パール編み部１３は、靴下１０の内側で編成されている。
【００１３】
爪先部１１は、靴下１０の先端側で形成されている。爪先部１１は、足の指を略覆う位置に相当する。そして、爪先部１１は、平編みで編成されている。爪先部１１は、先端側から先端部１１ａ及びリング部１１ｂで構成することができる。
【００１４】
リブ編み部１２は、爪先部１１の後ろ側に連続して、足部（甲部及び足底部）と身部の外側を覆う位置に形成されている。すなわち、リブ編み部１２は、外側甲部１２ａ、外側足底部１２ｃ、外側身部１２ｂで編成されている。リブ編み部１２は、リブ編みにより編成されているが、リブ編みは、コース方向に伸縮性が高い。このため、靴下１０のリブ編み部１２は、足の左右方向に伸縮性が高い部分となる。表目のウェールと裏目のウェールの数は適宜ふさわしい数を選択でき、履き口部１４と変更しても良い。
【００１５】
パール編み部１３は、爪先部１１の後ろ側に連続して、足部（甲部及び足底部）と身部の内側を覆う位置に形成されている。すなわち、パール編み部１３は、内側甲部１３ａ、内側足底部１３ｃ、内側身部１３ｂで編成されている。パール編み部１３は、パール編みにより編成されているが、パール編みは、ウェール方向に伸縮性が高い。このため、靴下１０のパール編み部１３は、足の前後方向（縦方向）に伸縮性が高い部分となる。
【００１６】
リブ編み部１２とパール編み部１３は、足の左右方向の中央付近で連続して接続している。即ち、甲部では中央付近で外側甲部１２ａと内側甲部１３ａが接続されており、足底部では、中央付近で外側足底部１２ｃと内側足底部１３ｃが接続されており、身部では、前後の中央付近で、それぞれ、外側身部１２ｂと内側身部１３ｂが接続されている。
【００１７】
踵部１５は、足の踵を略覆う位置に相当しており、平編みで編成されている。そして、踵部１５の上側は、外側身部１２ｂ及び内側身部１３ｂと連続して接続している。踵部１５の前側上部は、外側甲部１２ａ及び内側甲部１３ａと連続して接続している。踵部１５の前側下部は、外側足底部１２ｃ及び内側足底部１３ｃと連続して接続している。
【００１８】
履き口部１４は、靴下１０の上端を形成し、履き口となる部分であり、リブ編みで編成されている。リブ編みは、例えば、表目のウェールと裏目のウェールは１×１とすることができる。履き口部１４の下部は、外側身部１２ｂ及び内側身部１３ｂと連続して接続している。ここでの例では、履き口部１４の上端がくるぶし付近に位置するように身部の長さが形成されている。
【００１９】
図６は、本発明の靴下の第１の実施形態を示す非着用時の左右靴下の平面図である。図７は、本発明の靴下の第１の実施形態を示す非着用時の左右靴下の下面図である。図６では、右側が右足用、左側が左足用となり、図７では、右側が左足用、左側が右足用となる。
【００２０】
図６、７で示されるように本発明の靴下１０は、左右で対称となっている。そして、内側のパール編み部１３は、ウェール方向、即ち前後方向に沿って縮むため、全体として外側のリブ編み部１２よりも内側に湾曲した形状になる。この靴下１０を履くときは、内側のパール編み部１３を伸ばした状態で履くため、足の前後方向に縮む力がかかりながら履くことになる。また、リブ編み部１２は、足の左右方向に延びるため、靴下１０を履いた状態では、足の左右方向に縮む力がかかりながら履くことになる。
【００２１】
このように、本発明の靴下１０は、足部の外側をリブ編み１２とすることで、横方向の伸縮性能が向上して、横方向に広がりが多い足の外側方向に沿って伸び、足部の外側でフィット性が高いものとなる。また、足部内側をパール編み１３とすることで、前後方向（縦方向）の伸縮性能が向上して、足のアーチに沿って、足部の内側でフィット性が高いものとなる。さらに、爪先部１１及び踵部１５を平編みとすることで、フラットでゴロつかないものとなる。
【００２２】
さらに、これらの足部へのフィット性が高まることで、足裏面に意識を保て、靴下１０の着用中に安定した歩行ができるようになる。さらに、運動時においても快適な着用感を保てる。さらに、長時間の着用でもズレたりしない効果がある。
【００２３】
図８は、本発明の靴下における展開図（右足用）の一例を示す。図中ＢＣが足裏側のセンターラインであり、ＦＣが表側（甲側）のセンターラインとなる。ここでは、靴下編機（丸編機）により編成し、図中の上下がウェール方向、左右がコース方向となる。
【００２４】
第１編成部１では、履き口部１４をリブ編みにより編成する。
【００２５】
第２編成部２では、身部として、センターより左側（内側）をパール編みの内側身部１３ｂとし、センターより右側（外側）をリブ編みの外側身部１２ｂとして編成する。
【００２６】
第３編成部３では、踵部１５を平編みの往復編成により編成する。
【００２７】
第４編成部４では、足部（甲部及び足底部）として、センターより左側（内側）をパール編みの内側甲部１３ａ及び内側足底部１３ｃとし、センターより右側（外側）をリブ編みの外側甲部１２ａ及び外側足底部１２ｃとして編成する。
【００２８】
第５編成部５では、爪先部１１のリング部１１ｂを平編みにより編成する。
【００２９】
第６編成部６では、爪先部１１の先端部１１ａを平編みの往復編成により編成する。
【００３０】
なお、図８の展開図の左右を逆転すれば左足用の展開図となる。
【００３１】
（第２の実施形態）
図９は、本発明の靴下の第２の実施形態を示す非着用時の右用靴下の平面概略図である。第２の実施形態では第１の実施形態と異なる点について説明し、同一の箇所には同一の符号を付してある。
【００３２】
第２の実施形態の靴下１０’では、第１の実施形態の靴下１０に対して身部の長さを長くしたものであり、ここでの身部１７は、全てリブ編みを採用している。すなわち、パール編み部１３’は、内側甲部１３ａ及び内側足底部１３ｃで編成してあり、リブ編み部１２’は、外側甲部１２ａ及び外側足底部１２ｃで編成してある。さらに、（第１の実施形態で外側身部１２ｂ及び内側身部１３ｂに相当する）身部１７もすべてリブ編みで編成してある。そして、履き口部１４の上端が足のすね程度まで達するように、身部１７の長さを長くしてある。
【００３３】
身部１７をリブ編みとすることで、身部１７を長くしても脚部にフィットさせることができる。
【００３４】
（第３の実施形態）
図１０は、本発明の靴下の第３の実施形態を示す非着用時の右用靴下の平面概略図である。第３の実施形態では第２の実施形態と異なる点について説明し、同一の箇所には同一の符号を付してある。
【００３５】
第３の実施形態の靴下１０’’では、第２の実施形態の靴下１０’に対して踵部１５と反対側の表側に、第２のパール編み部１８を編成している。即ち甲部の後ろ側から身部の下側一部にかけて、足首の前側に相当する部分で横方向に渡って、第２のパール編み部１８を編成してある。ここでパール編み部１３’と第２のパール編み部１８は同じパール編みとなる。また、第２の実施形態のリブ編み部１２’の外側甲部１２ａの後ろ側の一部が第２のパール編み部１８となっている。
【００３６】
第２のパール編み部１８を追加することで、足首の前側でフィット性が増すことができる。
【００３７】
以上の様に、本発明の実施形態について第１の実施形態から第３の実施形態を示してきたが、本発明は上記した実施形態に限定されるものではなく、様々な変形例が含まれる。例えば、上記した実施形態に設けられた全ての構成を備えるものに限定されるものではない。また、ある実施形態の構成の一部を削除したり、他の実施形態の構成に置き換えたり、あるいはまた、ある実施形態の構成に他の実施形態の構成を加えることも可能である。
【００３８】
例えば、上記実施形態は、中央より外側をリブ編み部１２、１２’、中央より内側をパール編み部１３、１３’としたが、これらの境界線は、上述した機能を果たせる限り数割程度左右に移動することも可能である。また、上述した機能を果たせる限り、一部に外側のリブ編み又は内側のパール編み以外の編み部を介在させることも可能である。
【符号の説明】
【００３９】
１０、１０’、１０’’    靴下
１１      爪先部
１１ａ    先端部
１１ｂ    リング部
１２、１２’    リブ編み部
１２ａ    外側甲部
１２ｂ    外側身部
１２ｃ    外側足底部
１３、１３’    パール編み部
１３ａ    内側甲部
１３ｂ    内側身部
１３ｃ    内側足底部
１４      履き口部
１５      踵部
１７      身部
１８      パール編み追加部
【図１】
2018059218.tif 000003
【図２】
2018059218.tif 000004
【図３】
2018059218.tif 000005
【図４】
2018059218.tif 000006
【図５】
2018059218.tif 000007
【図６】
2018059218.tif 000008
【図７】
2018059218.tif 000009
【図８】
2018059218.tif 000010
【図９】
2018059218.tif 000011
【図１０】
2018059218.tif 000012